(57)【要約】      （修正有）【課題】娯楽性が高いハンガーを提供する。【解決手段】硬貨投入口Ｏｐが形成されているハンガー本体１１を備え、ハンガー本体１１内には、硬貨投入口Ｏｐに連通し、硬貨を移動させる通路が形成されている。【選択図】図１
0003220813.tif 000002
【実用新案登録請求の範囲】
【請求項１】
硬貨投入口が形成されているハンガー本体を備え、
前記ハンガー本体内には、前記硬貨投入口に連通し、硬貨を移動させる通路が形成されていることを特徴とするハンガー。
【請求項２】
前記ハンガー本体は、
前記硬貨投入口が形成された基部と、
前記基部に繋がっている一対の腕状部と
を有し、
前記通路は、
上端が前記硬貨投入口に繋がっており、前記基部側から前記腕状部の端部側へ延びていることを特徴とする請求項１に記載のハンガー。
【請求項３】
前記硬貨投入口が形成されている第１厚紙と、
前記第１厚紙と間隔をあけて配置されている第２厚紙と、
前記第１厚紙と前記第２厚紙との間に配置され、前記通路を構成する貫通孔である切抜部が形成された第３厚紙と、
を有し、
前記ハンガー本体は、
前記第１厚紙と、前記第２厚紙と、前記第３厚紙とが積層されて形成されていることを特徴とする請求項２に記載のハンガー。
【請求項４】
前記第１厚紙には、前記通路に沿って開口するスリット部が形成されていることを特徴とする請求項３に記載のハンガー。
【請求項５】
前記通路は、
前記基部側から前記腕状部の端部側に向かうにしたがって、下側に傾斜していることを特徴とする請求項２〜４のいずれか１項に記載のハンガー。
【請求項６】
ハンガー本体と、
前記ハンガー本体に取り付けられ、硬貨投入口が形成されている蓋部と、
を備え、
前記ハンガー本体には、前記硬貨投入口に連通し、硬貨を移動させる通路が形成され、
前記蓋部は、
前記通路を覆うように前記ハンガー本体に取り付けられていることを特徴とするハンガー。
【請求項７】
前記ハンガー本体は、
フックと、
前記フックに繋がっている基部と、
前記基部に繋がっている一対の腕状部と、
を有し、
前記通路は、
上端が前記硬貨投入口に繋がっており、前記基部に設けられている第１通路と、
前記第１通路の下端に繋がっており、前記基部側から前記腕状部の端部側へ延びている第２通路と、
を有していることを特徴とする請求項１又は６に記載のハンガー。
【請求項８】
前記第２通路は、
前記基部側から前記腕状部の端部側に向かうにしたがって、下側に傾斜していることを特徴とする請求項７に記載のハンガー。
【考案の詳細な説明】
【技術分野】
【０００１】
本考案は、ハンガーに関するものである。
【背景技術】
【０００２】
従来、フード付きの上着のフードを支持するスライダを有するハンガーが提案されている（例えば、特許文献１参照）。特許文献１のハンガーはスライダを起立させる機構を有する多機能ハンガーであり、ユーザーは当該機構を用いることで上着のフードを上に伸ばした状態で上着を干すことができる。これにより、フード付の上着の乾燥効率が向上する。このように、従来、衣服を掛ける機能だけでなく、フード付きの上着の乾燥効率の向上を目的とした機能を有する多機能ハンガーが提案されている。
【０００３】
例えば贈り物をする場合において、贈り物が高価であると、受け取る相手が遠慮してしまい、受け取る相手がかえって精神的な負担を感じることがある。逆に、贈り物が安価であると、贈る者の金銭的負担は低減するが、贈り物を受け取る相手の気分を害することもある。贈り物は安価ではあるが意外性のある物品であると、贈る者の金銭的負担が低減されるだけでなく、贈り物を受け取る相手は、精神的な負担を感じずに済みながら、高い満足感を得ることができる場合がある。
【先行技術文献】
【特許文献】
【０００４】
【特許文献１】特開２０１０−１７８８１１号公報
【考案の概要】
【考案が解決しようとする課題】
【０００５】
特許文献１のハンガーは多機能ではあるが干す機能を追求した物品であることには変わりがないため、特許文献１のハンガーは意外性や面白みに欠ける、すなわち娯楽性に欠けるところがある。物品が娯楽性に欠けると、ユーザーは物品を廃棄してしまう場合もある。特に、ハンガーのように物品が安価であるほど廃棄されてしまう可能性は高まる。
【０００６】
本考案は、上記のような課題を解決するためのものであり、娯楽性が高いハンガーを提供することを目的としている。
【課題を解決するための手段】
【０００７】
本考案に係るハンガーは、硬貨投入口が形成されているハンガー本体を備え、ハンガー本体内には、硬貨投入口に連通し、硬貨を移動させる通路が形成されている。
【０００８】
本考案に係るハンガーのハンガー本体は、硬貨投入口が形成された基部と、基部に繋がっている一対の腕状部とを、有し、通路は、上端が硬貨投入口に繋がっており、基部側から腕状部の端部側へ延びている。
【０００９】
本考案に係るハンガーは、硬貨投入口が形成されている第１厚紙と、第１厚紙と間隔をあけて配置されている第２厚紙と、第１厚紙と第２厚紙との間に配置され、通路を構成する貫通孔である切抜部が形成された第３厚紙と、を有する。そして、ハンガー本体は、第１厚紙と、第２厚紙と、第３厚紙とが積層されて形成されている。
【００１０】
本考案に係るハンガーの第１厚紙には、通路に沿って開口するスリット部が形成されている。
【００１１】
本考案に係るハンガーの通路は、基部側から腕状部の端部側に向かうにしたがって、下側に傾斜している。
【００１２】
本考案に係るハンガーは、ハンガー本体と、ハンガー本体に取り付けられ、硬貨投入口が形成されている蓋部と、を備えている。そして、ハンガー本体には、硬貨投入口に連通し、硬貨を移動させる通路が形成され、蓋部は、通路を覆うようにハンガー本体に取り付けられている。
【００１３】
本考案に係るハンガーのハンガー本体は、フックと、フックに繋がっている基部と、基部に繋がっている一対の腕状部と、を有する。そして、通路は、上端が硬貨投入口に繋がっており、基部に設けられている第１通路と、第１通路の下端に繋がっており、基部側から腕状部の端部側へ延びている第２通路と、を有している。
【００１４】
本考案に係るハンガーの第２通路は、基部側から腕状部の端部側に向かうにしたがって、下側に傾斜している。
【考案の効果】
【００１５】
本考案によれば、上記構成を有しているので、娯楽性が向上しているハンガーを提供することができる。
【図面の簡単な説明】
【００１６】
【図１】本考案の実施の形態１に係るハンガー１００の正面図である。
【図２】本考案の実施の形態１に係るハンガー１００の上面視図である。
【図３】図２に示すハンガー１００のＡ−Ａ断面図である。
【図４】図２のハンガー本体１１を構成する第１厚紙１１Ａ１の平面視図である。
【図５】図２のハンガー本体１１を構成する第２厚紙１１Ａ２の平面視図である。
【図６】図２のハンガー本体１１を構成する第３厚紙１１Ａ３の平面視図である。
【図７】図３に示すハンガー１００において、硬貨５０が硬貨投入口Ｏｐから投入部ｐｔｓへ投入された状態を示した概念図である。
【図８】図３に示すハンガー１００において、硬貨５０が投入部ｐｔｓから頂部ｓｍへ至った状態を示した概念図である。
【図９】図３に示すハンガー１００において、硬貨５０が通路ｐｔの第２分岐通路ｐｔｂの第２傾斜部ｔｂ上を移動している状態を示した概念図である。
【図１０】図３に示すハンガー１００において、硬貨５０が通路ｐｔの第２分岐通路ｐｔｂの第２終端ｅｂに至った状態を示した概念図である。
【図１１】図２のハンガー本体１１を構成する変形例の第１厚紙１１Ｂの平面視図である。
【図１２】本考案の実施の形態２に係るハンガー２００の正面図である。
【図１３】本考案の実施の形態２に係るハンガー２００の上面視図である。
【図１４】図１３に示すハンガー２００のＢ−Ｂ断面図である。
【図１５】図１４に示すハンガー２００において、硬貨５０が硬貨投入口Ｏｐから第１通路ｐｔ１へ投入された状態を示した概念図である。
【図１６】図１４に示すハンガー２００において、硬貨５０が第１通路ｐｔ１から頂部ｓｍへ至った状態を示した概念図である。
【図１７】図１４に示すハンガー２００において、硬貨５０が第２通路ｐｔ２の第２分岐通路ｐｔ２ｂの第２傾斜部ｔｂ上を移動している状態を示した概念図である。
【図１８】図１４に示すハンガー２００において、硬貨５０が第２通路ｐｔ２の第２分岐通路ｐｔ２ｂの第２終端ｅｂに至った状態を示した概念図である。
【図１９】本考案の実施の形態３に係るハンガー３００の正面図である。
【図２０】本考案の実施の形態３に係るハンガー３００の上面視図である。
【図２１】本考案の実施の形態３に係るハンガー３００のハンガー本体３１０の正面図である。
【図２２】本考案の実施の形態３に係るハンガー３００の蓋部２０の背面図である。
【考案を実施するための形態】
【００１７】
以下、本考案の実施の形態を図面に基づいて説明する。なお、図１を含め、以下の図面では各構成の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１８】
実施の形態１．
図１は、本考案の実施の形態１に係るハンガー１００の正面図である。図２は、本考案の実施の形態１に係るハンガー１００の上面視図である。図３は、図２に示すハンガー１００のＡ−Ａ断面図である。図１〜図３を参照してハンガー１００の構成を説明する。
【００１９】
ハンガー１００は、衣服等を掛ける機能に加え、硬貨を貯める貯金箱としての機能を有している。図１に示すように、ハンガー１００は、硬貨投入口Ｏｐが形成されているハンガー本体１１を備えている。硬貨投入口Ｏｐの径は、硬貨の径よりも大きくなっている。つまり、ハンガー１００が例えば５００円硬貨を貯める構成である場合において、硬貨投入口Ｏｐの径は、５００円硬貨の径よりも大きくなっている。ハンガー本体１１は、硬貨投入口Ｏｐが設けられている基部２と、基部２の一方に繋がっている第１腕状部２Ａと、基部２の他方に繋がっている第２腕状部２Ｂとを備えている。なお、以下の説明において、第１腕状部２Ａ及び第２腕状部２Ｂを合わせて腕状部２Ａ、２Ｂとも称する。基部２には、フック挿入孔Ｈｋが形成されている。フック挿入孔Ｈｋは、硬貨投入口Ｏｐの上方に形成されている。フック挿入孔Ｈｋは、基部２に形成された貫通孔であり、フック挿入孔Ｈｋには、ハンガー１００をハンガー１００の被支持体（例えばクローゼットのポール）等に引っ掛けて吊るすためのフックが挿入される。ハンガー１００は、一端がフック挿入孔Ｈｋに挿入されたフックの他端を被支持体に引っ掛けることで被支持体に吊るされる。フック挿入孔Ｈｋは、貫通孔であればよく、デザイン、あるいは、強度を確保する点から、丸形状、多角形状等、目的に合わせて種々の形状に形成される。
【００２０】
図３に示すように、ハンガー本体１１には、硬貨投入口Ｏｐに連通し、硬貨を移動させる通路ｐｔが形成されている。通路ｐｔは硬貨を移動させる機能だけでなく、硬貨を貯める空間としての機能を有している。ハンガー本体１１は、硬貨投入口Ｏｐから露出する部分を除いて、外部から通路ｐｔが目視できないように構成されている。つまり、通路ｐｔはハンガー本体１１内に形成されている。通路ｐｔは、上部に位置する投入部ｐｔｓが硬貨投入口Ｏｐに繋がっている。通路ｐｔは、第１腕状部２Ａに設けられている第１分岐通路ｐｔａと、第２腕状部２Ｂに設けられている第２分岐通路ｐｔｂとを有している。通路ｐｔは、基部２側から各腕状部の端部側へ延びている。つまり、第１分岐通路ｐｔａは基部２側から第１腕状部２Ａの端部２Ａ１側へ延びており、第２分岐通路ｐｔｂは基部２側から第２腕状部２Ｂの端部２Ｂ１側へ延びている。
【００２１】
通路ｐｔは、投入部ｐｔｓの下方に設けられている頂部ｓｍと、頂部ｓｍの一方に繋がっている第１傾斜部ｔａと、頂部ｓｍの他方に繋がっている第２傾斜部ｔｂとを有している。第１傾斜部ｔａは、基部２側から第１腕状部２Ａの端部２Ａ１側に向かうにしたがって下側に傾斜している。第２傾斜部ｔｂは、基部２側から第２腕状部２Ｂの端部２Ｂ１側に向かうにしたがって下側に傾斜している。これにより、頂部ｓｍに至った硬貨がすみやかに第１分岐通路ｐｔａ又は第２分岐通路ｐｔｂに移動する。通路ｐｔの第１分岐通路ｐｔａは第１終端ｅａを有し、通路ｐｔの第２分岐通路ｐｔｂは第２終端ｅｂを有している。第１終端ｅａ及び第２終端ｅｂは通路ｐｔの最奥部に設けられている。なお、以下の説明において、第１終端ｅａ及び第２終端ｅｂを合わせて終端ｅａ、ｅｂとも称する。
【００２２】
通路ｐｔの寸法のうちハンガー本体１１の厚み方向に平行な方向の寸法について説明する。この通路ｐｔの寸法は硬貨の厚みに基づいて決定するとよい。ハンガー１００が５００円硬貨の貯金箱である場合において、５００円硬貨の厚みは約１．８ｍｍ程度であるため、通路ｐｔの寸法のうちハンガー本体１１の厚み方向に平行な方向の寸法は例えば２ｍｍ以上、３ｍｍ以下とするとよい。これにより、通路ｐｔで硬貨が重なってしまうことを回避することができる。つまり、各種の硬貨のうちハンガー１００が対象とする硬貨の厚み寸法をｔとしたとき、通路ｐｔの寸法のうちハンガー本体１１の厚み方向に平行な方向の寸法は、ｔよりも大きく、２ｔよりも小さくするとよい。なお、ハンガー１００の上下方向において、第１分岐通路ｐｔａ及び第２分岐通路ｐｔｂを構成する壁の対向する幅は、硬貨の径よりも大きく形成されている。そのため、硬貨５０は、通路ｐｔ内を移動することができる。
【００２３】
図４は、図２のハンガー本体１１を構成する第１厚紙１１Ａ１の平面視図である。図５は、図２のハンガー本体１１を構成する第２厚紙１１Ａ２の平面視図である。図６は、図２のハンガー本体１１を構成する第３厚紙１１Ａ３の平面視図である。図２、図４〜図６を用いて、ハンガー１００の構造について更に説明する。ハンガー１００は、紙を積層させて形成されている。
【００２４】
図２に示すように、ハンガー本体１１は、第１厚紙１１Ａ１と、第１厚紙１１Ａ１と間隔をあけて配置されている第２厚紙１１Ａ２と、第１厚紙１１Ａ１と第２厚紙１１Ａ２との間に挟まれている第３厚紙１１Ａ３とを備えている。第１厚紙１１Ａ１、第２厚紙１１Ａ２及び第３厚紙１１Ａ３のそれぞれの厚みは限定されるものではないが、実施の形態１では、第１厚紙１１Ａ１、第２厚紙１１Ａ２及び第３厚紙１１Ａ３は同じ厚みであるものとして説明する。第１厚紙１１Ａ１、第２厚紙１１Ａ２及び第３厚紙１１Ａ３が同じ厚みであれば、ハンガー１００は、同一材料を流用することができ、ハンガー１００の製造コストを低減することができる。なお、実施の形態１では、ハンガー本体１１は、第１厚紙１１Ａ１、第２厚紙１１Ａ２及び第３厚紙１１Ａ３の３枚の厚紙から構成された態様を示している。しかし、ハンガー本体１１は、当該構成に限定されるものではなく、第３厚紙１１Ａ３が第１厚紙１１Ａ１及び第２厚紙１１Ａ２と密着して配置されていれば、ハンガー本体１１は、３枚以上の厚紙を用いて構成されてもよい。
【００２５】
図４に示すように、第１厚紙１１Ａ１は、略二等辺三角形の板状の部材である。第１厚紙１１Ａ１の上部には、硬貨投入口Ｏｐが形成されており、硬貨投入口Ｏｐの上方にフック挿入孔Ｈｋが形成されている。第１厚紙１１Ａ１の表面のうち、第３厚紙１１Ａ３と対向する側の表面の裏面にあたる表面には、印刷が施されてもよい。例えば、第１厚紙１１Ａ１において、硬貨投入口Ｏｐの近くには、例えば、「Ｉｎ」等、硬貨の投入を認知させる文字等を印刷することが考えられる。これにより、ユーザーは、ハンガー１００における硬貨の投入位置を知ることができる。第１厚紙１１Ａ１は、第３厚紙１１Ａ３の一方の面に接着剤で貼り付けられている。なお、第１厚紙１１Ａ１及び第３厚紙１１Ａ３は、プラスチック等ではなく、紙であるため、安価な接着剤を用いても、第１厚紙１１Ａ１を第３厚紙１１Ａ３に容易に貼り付けることができる。また、第１厚紙１１Ａ１は紙であるため、広告等の印刷が容易である。
【００２６】
図５に示すように、第２厚紙１１Ａ２は、略二等辺三角形の板状の部材である。第２厚紙１１Ａ２の上部には、フック挿入孔Ｈｋが形成されている。しかし、第２厚紙１１Ａ２には、硬貨投入口Ｏｐは形成されていない。第２厚紙１１Ａ２は、第３厚紙１１Ａ３の他方の面に接着剤で貼り付けられている。実施の形態１では、第２厚紙１１Ａ２に特に何も印刷されていないが、適宜、広告等を印刷することができる。なお、第２厚紙１１Ａ２及び第３厚紙１１Ａ３はプラスチック等ではなく、紙であるため、安価な接着剤を用いても、第２厚紙１１Ａ２を第３厚紙１１Ａ３に容易に貼り付けることができる。
【００２７】
図６に示すように、第３厚紙１１Ａ３は、略二等辺三角形の板状の部材である。第３厚紙１１Ａ３の上部には、フック挿入孔Ｈｋが形成されている。また、第３厚紙１１Ａ３には、切抜部Ｔが形成されている。切抜部Ｔは、第３厚紙１１Ａ３を貫通している。第３厚紙１１Ａ３の一方の面には第１厚紙１１Ａ１が貼り付けられると共に第３厚紙１１Ａ３の他方の面には第２厚紙１１Ａ２が貼り付けられることで、ハンガー本体１１は、切抜部Ｔの形成部分に硬貨が通過することができる通路ｐｔが形成される。つまり、硬貨が通路ｐｔを移動するときには、硬貨は第１厚紙１１Ａ１の内面及び第２厚紙１１Ａ２の内面にガイドされながら、第３厚紙１１Ａ３の切抜部Ｔの縁部に沿って転がる。
【００２８】
図７は、図３に示すハンガー１００において、硬貨５０が硬貨投入口Ｏｐから投入部ｐｔｓへ投入された状態を示した概念図である。図８は、図３に示すハンガー１００において、硬貨５０が投入部ｐｔｓから頂部ｓｍへ至った状態を示した概念図である。図９は、図３に示すハンガー１００において、硬貨５０が通路ｐｔの第２分岐通路ｐｔｂの第２傾斜部ｔｂ上を移動している状態を示した概念図である。図１０は、図３に示すハンガー１００において、硬貨５０が通路ｐｔの第２分岐通路ｐｔｂの第２終端ｅｂに至った状態を示した概念図である。図７〜図１０を参照して、ハンガー１００に貯金をするときの硬貨５０の動きを説明する。
【００２９】
ユーザーは、硬貨投入口Ｏｐに硬貨５０を投入する。すると、硬貨５０は、図７に示すように、重力の作用により、通路ｐｔの投入部ｐｔｓ内で下方に移動する。次に、図８に示すように、硬貨５０は、投入部ｐｔｓの下部に位置する頂部ｓｍに接触する。なお、通路ｐｔと硬貨投入口Ｏｐとの位置関係によっては、ユーザーが、硬貨投入口Ｏｐに硬貨５０を投入すると、通路ｐｔ内における硬貨５０の下方への移動を伴わずに、硬貨５０が頂部ｓｍに接触してもよい。頂部ｓｍに位置する硬貨５０は、通路ｐｔの第１分岐通路ｐｔａ又は通路ｐｔの第２分岐通路ｐｔｂに入る。図９では、硬貨５０が第２分岐通路ｐｔｂに入っている。なお、硬貨５０が第１分岐通路ｐｔａに入るか、又は、第２分岐通路ｐｔｂに入るかは、ハンガー本体１１の例えば姿勢によって定まる。第２分岐通路ｐｔｂに入った硬貨５０は第２傾斜部ｔｂを移動し、その後、図１０に示すように、硬貨５０は第２終端ｅｂで止まる。ユーザーが硬貨５０をハンガー１００に投入することを繰り返すと、図１０に点線で示すように、通路ｐｔの終端ｅａ、ｅｂから順番に硬貨５０が貯まる。例えば、硬貨５０を１枚、ハンガー１００に貯金した後に、ユーザーがもう１枚、硬貨５０をハンガー１００に投入すると、この硬貨５０は、終端ｅａ、ｅｂに位置している硬貨５０の隣で止まる。ユーザーが、硬貨５０をハンガー１００へ投入することを繰り返すことで、通路ｐｔが硬貨５０で徐々に埋まっていく。
【００３０】
本考案の実施の形態１に係るハンガー１００は、硬貨投入口Ｏｐが形成されているハンガー本体１１を備え、ハンガー本体１１には、硬貨投入口Ｏｐに連通し、硬貨５０を移動させる通路ｐｔが形成されている。ユーザーが硬貨投入口Ｏｐから硬貨５０を投入すると、硬貨５０が通路ｐｔを移動し、硬貨５０がハンガー本体１１内に貯まる。このように、ハンガー１００が衣服を掛ける機能だけでなく貯金箱としての機能を有しているので、ハンガー１００は意外性や面白みがあり、ハンガー１００の娯楽性が向上する。
【００３１】
本考案の実施の形態１に係るハンガー１００のハンガー本体１１内には通路ｐｔが形成されている。このため、通路ｐｔの硬貨５０はハンガー本体１１に隠れている。したがって、ユーザーがハンガー１００に硬貨５０を貯めていることに、ハンガー１００を使用しているユーザー以外の者が気づきにくい。特に、ハンガー１００は一般的に衣服を掛ける物品であると認識されているため、ユーザー以外の者は、ハンガー１００が貯金箱として用いられていることに気がつきにくい。つまり、ハンガー１００は他人に気づかれないように貯金をすることができる機能を有している。また、このようにハンガー１００が他人に気づかれないように貯金をすることができる機能を有するので、ハンガー１００は意外性や面白みが更に増しており、ハンガー１００の娯楽性が更に向上する。
【００３２】
本考案の実施の形態１に係るハンガー１００の通路ｐｔは、上端が硬貨投入口Ｏｐに繋がっており、基部２側から腕状部２Ａ、２Ｂの端部２Ａ１、２Ｂ１側へ延びている通路ｐｔを有している。このため、ハンガー１００は、第１腕状部２Ａ側の部分と第２腕状部２Ｂ側の部分とにおいて硬貨５０を溜めることができる。仮に、ハンガーが第１腕状部２Ａ側の部分にのみ硬貨５０が貯まる構成となっている場合には、ハンガーに硬貨５０が貯まってくるとハンガーの重心の位置が第１腕状部２Ａ側にずれる。そのため、ハンガーがハンガーの被支持体（例えばクローゼットのポール）に掛けられている状態においてハンガーが回転しまう。なお、ここでの重心とは、ハンガーのみだけでなく、硬貨５０やハンガーにかけられている衣服を含めた構成体の重心を意味している。ハンガーにかけられている衣服の重量が重ければハンガーの回転は抑制されるが、ハンガーに衣服が掛けられていない場合やハンガーにかけられている衣服の重量が軽い場合には、ハンガーが回転してしまう。そのため、ハンガーは、第１腕状部２Ａ側が下に移動し、第２腕状部２Ｂ側が上に移動した状態となってしまい、このようなハンガーの状態は不自然に見えるため、ハンガーが貯金箱として用いられていることに気づかれてしまう可能性が高まる。しかし、ハンガー１００は、第１腕状部２Ａ側の部分と第２腕状部２Ｂ側の部分とにおいて硬貨５０を溜めることができるので、ハンガー１００の重心の位置がずれてしまうことを抑制することができる。これにより、ハンガー１００は、他人に気づかれないように貯金をする効果が更に高まっている。
【００３３】
また、ハンガー１００は、第１厚紙１１Ａ１及び第２厚紙１１Ａ２と、第１厚紙１１Ａ１と第２厚紙１１Ａ２との間に配置され、通路ｐｔを構成する貫通孔である切抜部Ｔが形成された第３厚紙１１Ａ３と、を有し、これらが積層されて形成されている。ハンガー１００は、第３厚紙１１Ａ３の切抜部Ｔによって構成される通路ｐｔに硬貨５０を貯めることができる。そのため、ハンガー１００は衣服を掛ける機能だけでなく貯金箱としての機能を有しているので、意外性や面白みがあり、ハンガー１００の娯楽性が向上する。また、ハンガー１００が他人に気づかれないように貯金をすることができる機能を有するので、ハンガー１００は意外性や面白みが更に増しており、ハンガー１００の娯楽性が更に向上する。さらに、ハンガー１００は、厚紙を積層して製造することができるために、コストを抑制して製造することができる。また、ハンガー１００の表面を構成する第１厚紙１１Ａ１及び第２厚紙１１Ａ２は、紙であるため、広告等の印刷が容易である。
【００３４】
本考案の実施の形態１に係るハンガー１００の通路ｐｔは、基部２側から腕状部２Ａ、２Ｂの端部２Ａ１、２Ｂ１側に向かうにしたがって、下側に傾斜している。つまり、通路ｐｔは第１傾斜部ｔａ及び第２傾斜部ｔｂを有している。このため、ハンガー１００は、通路ｐｔの硬貨５０を、すみやかに通路ｐｔの終端ｅａ、ｅｂ側へ導くことができる。
【００３５】
図１１は、図２のハンガー本体１１を構成する変形例の第１厚紙１１Ｂの平面視図である。ハンガー本体１１を構成する第１厚紙１１Ｂには、スリット部Ｗａ及びスリット部Ｗｂが形成されている。スリット部Ｗａは、ハンガー本体１１の第１腕状部２Ａに相当する部分に形成され、スリット部Ｗｂは、ハンガー本体１１の第２腕状部２Ｂに相当する部分に形成されている。スリット部Ｗａ及びスリット部Ｗｂは、第１厚紙１１Ｂを貫通している。このため、通路ｐｔに貯まっている硬貨５０は、スリット部Ｗａ及びスリット部Ｗｂを介して露出する。スリット部Ｗａは、第１分岐通路ｐｔａに対応する形状を有しており、スリット部Ｗｂは、第２分岐通路ｐｔｂに対応する形状を有している。つまり、スリット部Ｗａは、第１分岐通路ｐｔａに沿って開口しており、スリット部Ｗｂは、第２分岐通路ｐｔｂに沿って開口している。なお、スリット部Ｗａの幅寸法は、第１分岐通路ｐｔａの幅寸法よりも小さく、硬貨５０の径の大きさよりも小さい。同様に、スリット部Ｗｂの幅寸法は、第２分岐通路ｐｔｂの幅寸法よりも小さく、硬貨５０の径の大きさよりも小さい。そのため、硬貨５０は、スリット部Ｗａ及びスリット部Ｗｂから露出するが、スリット部Ｗａ及びスリット部Ｗｂから落下することはない。ハンガー１００は、どの程度、硬貨５０が貯まっているかを目視で容易に把握できるように構成されている。
【００３６】
ハンガー１００は、硬貨５０が移動する通路ｐｔが形成されているので、硬貨５０の投入を繰り返していくと、通路ｐｔには硬貨５０が貯まってくる。変形例の第１厚紙１１Ｂを備えたハンガー１００は、ユーザーがハンガー１００に貯まった硬貨５０を、スリット部Ｗａ及びスリット部Ｗｂを介して見ることができる。このため、ユーザーは貯金が貯まることによる高揚感を得ることができる。したがって、ハンガー１００は、単に衣服を掛けるだけの機能を有するハンガーと比較して娯楽性が向上している。
【００３７】
実施の形態２．
図１２は、本考案の実施の形態２に係るハンガー２００の正面図である。図１３は、本考案の実施の形態２に係るハンガー２００の上面視図である。図１４は、図１３に示すハンガー２００のＢ−Ｂ断面図である。図１２〜図１４を参照してハンガー２００の構成を説明する。なお、図１〜図１１のハンガー１００と同一の構成を有する部位には同一の符号を付してその説明を省略する。
【００３８】
ハンガー２００は、衣服等を掛ける機能に加え、硬貨５０を貯める貯金箱としての機能を有している。ハンガー２００は、硬貨投入口Ｏｐが形成されているハンガー本体１０を備えている。ハンガー本体１０は、フック１と、フック１に繋がっており、硬貨投入口Ｏｐが設けられている基部２と、基部２の一方に繋がっている第１腕状部２Ａと、基部２の他方に繋がっている第２腕状部２Ｂとを備えている。また、ハンガー本体１０は、衣服等を掛けることができる一対の支持部３を備えている。支持部３はハンガー本体１０の下部に設けられている。ハンガー本体１０は、例えば、樹脂で一体成型されている。そのため、ハンガー本体１０は、例えば、３Ｄプリンター等の製造装置を用いて製造することができる。但し、ハンガー本体１０は、樹脂で一体成型されているものに限定されるものではない、ハンガー本体１０は、本考案の実施の形態１のハンガー１００におけるハンガー本体１１のように、複数の紙を積層して構成されてもよい。
【００３９】
ハンガー本体１０には、硬貨投入口Ｏｐに連通し、硬貨５０を移動させる通路ｐｔが形成されている。ハンガー本体１０は、硬貨投入口Ｏｐから露出する部分を除いて、外部から通路ｐｔが目視できないように構成されている。つまり、通路ｐｔはハンガー本体１０内に形成されている。通路ｐｔは、上端が硬貨投入口Ｏｐに繋がっており、基部２に設けられている第１通路ｐｔ１と、第１通路ｐｔ１の下端に繋がっている第２通路ｐｔ２とを有している。第２通路ｐｔ２は、第１腕状部２Ａに設けられている第１分岐通路ｐｔ２ａと、第２腕状部２Ｂに設けられている第２分岐通路ｐｔ２ｂとを有している。第２通路ｐｔ２は、基部２側から各腕状部の端部側へ延びている。つまり、第１分岐通路ｐｔ２ａは基部２側から第１腕状部２Ａの端部２Ａ１側へ延びており、第２分岐通路ｐｔ２ｂは基部２側から第２腕状部２Ｂの端部２Ｂ１側へ延びている。
【００４０】
第２通路ｐｔ２は、第１通路ｐｔ１の下端の下に設けられている頂部ｓｍと、頂部ｓｍの一方に繋がっている第１傾斜部ｔａと、頂部ｓｍの他方に繋がっている第２傾斜部ｔｂとを有している。第１傾斜部ｔａは、基部２側から第１腕状部２Ａの端部２Ａ１側に向かうにしたがって下側に傾斜している。第２傾斜部ｔｂは、基部２側から第２腕状部２Ｂの端部２Ｂ１側に向かうにしたがって下側に傾斜している。これにより、頂部ｓｍに至った硬貨５０がすみやかに第１分岐通路ｐｔ２ａ又は第２分岐通路ｐｔ２ｂに移動する。第２通路ｐｔ２の第１分岐通路ｐｔ２ａは第１終端ｅａを有し、第２通路ｐｔ２の第２分岐通路ｐｔ２ｂは第２終端ｅｂを有している。第１終端ｅａ及び第２終端ｅｂは通路ｐｔの最奥部に設けられている。
【００４１】
通路ｐｔの寸法のうちハンガー本体１０の厚み方向に平行な方向の寸法について説明する。この通路ｐｔの寸法は硬貨５０の厚みに基づいて決定するとよい。例えば、各種の硬貨５０のうちハンガー２００が対象とする硬貨５０の厚み寸法をｔとしたとき、通路ｐｔの寸法のうちハンガー本体１０の厚み方向に平行な方向の寸法は、ｔよりも大きく、２ｔよりも小さくするとよい。これにより、通路ｐｔで硬貨５０が重なってしまうことを回避することができる。
【００４２】
図１５は、図１４に示すハンガー２００において、硬貨５０が硬貨投入口Ｏｐから第１通路ｐｔ１へ投入された状態を示した概念図である。図１６は、図１４に示すハンガー２００において、硬貨５０が第１通路ｐｔ１から頂部ｓｍへ至った状態を示した概念図である。図１７は、図１４に示すハンガー２００において、硬貨５０が第２通路ｐｔ２の第２分岐通路ｐｔ２ｂの第２傾斜部ｔｂ上を移動している状態を示した概念図である。図１８は、図１４に示すハンガー２００において、硬貨５０が第２通路ｐｔ２の第２分岐通路ｐｔ２ｂの第２終端ｅｂに至った状態を示した概念図である。なお、図１５〜図１８に示すハンガー本体１０は、図１３のＢ−Ｂ断面と同様の断面で示されている。図１５〜図１８を参照して、ハンガー２００に貯金をするときの動作を説明する。
【００４３】
図１５に示すように、ユーザーは硬貨投入口Ｏｐに硬貨５０を投入する。すると、硬貨５０は、第１通路ｐｔ１に至り、重力の作用により、下に移動する。次に、図１６に示すように、硬貨５０は、第１通路ｐｔ１の下端に至ると、頂部ｓｍに接触する。頂部ｓｍに位置する硬貨５０は、第２通路ｐｔ２の第１分岐通路ｐｔ２ａ又は第２分岐通路ｐｔ２ｂに入る。図１７では、硬貨５０が第２分岐通路ｐｔ２ｂに入っている。なお、硬貨５０が第１分岐通路ｐｔ２ａに入るか、又は、第２分岐通路ｐｔ２ｂかは、ハンガー本体１０の例えば姿勢によって定まる。第２分岐通路ｐｔ２ｂに入った硬貨５０は第２傾斜部ｔｂを移動し、その後、図１８に示すように、硬貨５０は第２終端ｅｂで止まる。ユーザーが、硬貨５０をハンガー２００に投入することを繰り返すと、通路ｐｔの終端ｅａ、ｅｂから順番に硬貨５０が貯まる。例えば、硬貨５０を１枚、ハンガー２００に貯金した後に、もう１枚、硬貨５０をハンガー２００に投入すると、この硬貨５０は、終端ｅａ、ｅｂに位置している硬貨５０の隣で止まる。硬貨５０をハンガー２００へ投入することを繰り返すことで、通路ｐｔが徐々に埋まっていく。
【００４４】
本考案の実施の形態２に係るハンガー２００は、硬貨投入口Ｏｐが形成されているハンガー本体１０を備え、ハンガー本体１０には、硬貨投入口Ｏｐに連通し、硬貨５０を移動させる通路ｐｔが形成されている。ユーザーが硬貨投入口Ｏｐから硬貨５０を投入すると、硬貨５０が通路ｐｔを移動し、硬貨５０がハンガー本体１０内に貯まる。このように、ハンガー２００が衣服を掛ける機能だけでなく貯金箱としての機能を有しているので、ハンガー２００は意外性や面白みがあり、ハンガー２００の娯楽性が向上する。
【００４５】
本考案の実施の形態２に係るハンガー２００のハンガー本体１０内には通路ｐｔが形成されている。このため、通路ｐｔに投入された硬貨５０はハンガー本体１０に隠れている。したがって、ユーザーがハンガー２００に硬貨５０を貯めていることに、ハンガー２００を使用しているユーザー以外の者が気づきにくい。特に、ハンガー２００は一般的に衣服を掛ける物品であると認識されているため、ユーザー以外の者は、ハンガー２００が貯金箱として用いられていることに気がつきにくい。つまり、ハンガー２００は他人に気づかれないように貯金をすることができる機能を有している。また、このようにハンガー２００が他人に気づかれないように貯金をすることができる機能を有するので、ハンガー２００は意外性や面白みが更に増しており、ハンガー２００の娯楽性が更に向上する。
【００４６】
ハンガー２００の通路ｐｔは、上端が硬貨投入口Ｏｐに繋がっており、基部２に設けられている第１通路ｐｔ１と、第１通路ｐｔ１の下端に繋がっており、基部２側から腕状部２Ａ、２Ｂの端部２Ａ１、２Ｂ１側へ延びている第２通路ｐｔ２とを有している。このため、ハンガー２００は、第１腕状部２Ａ側の部分と第２腕状部２Ｂ側の部分とにおいて硬貨５０を溜めることができる。ハンガー２００は第１腕状部２Ａ側の部分と第２腕状部２Ｂ側の部分とにおいて硬貨５０を溜めることができるので、ハンガー２００の重心の位置がずれてしまうことを抑制することができる。これにより、ハンガー２００は他人に気づかれないように貯金をする効果が更に高まっている。
【００４７】
本考案の実施の形態２に係るハンガー２００の第２通路ｐｔ２は、基部２側から腕状部２Ａ、２Ｂの端部２Ａ１、２Ｂ１側に向かうにしたがって、下側に傾斜している。つまり、第２通路ｐｔ２は第１傾斜部ｔａ及び第２傾斜部ｔｂを有している。このため、通路ｐｔの硬貨５０を、すみやかに通路ｐｔの終端ｅａ、ｅｂ側へ導くことができる。
【００４８】
実施の形態３．
本考案の実施の形態３は、本考案の実施の形態２とは相違する部分を中心に説明するものとし、共通する構成については同一符号を付し、説明を省略する。本考案の実施の形態２はハンガー本体１０が一体成型、あるいは、複数の紙を積層させた構成であったが、本考案の実施の形態３はハンガー本体３１０に加えて蓋部２０を備えた構成である。
【００４９】
図１９は、本考案の実施の形態３に係るハンガー３００の正面図である。図２０は、本考案の実施の形態３に係るハンガー３００の上面視図である。図２１は、本考案の実施の形態３に係るハンガー３００のハンガー本体３１０の正面図である。図２２は、本考案の実施の形態３に係るハンガー３００の蓋部２０の背面図である。
【００５０】
蓋部２０は、ハンガー本体３１０に取り付けられ、通路ｐｔを隠している。蓋部２０には、硬貨投入口Ｏｐが形成されている。蓋部２０は、第１通路ｐｔ１及び第２通路ｐｔ２の中央部を隠す蓋基部２１と、蓋基部２１に繋がっており、第１分岐通路ｐｔ２ａを隠す蓋腕状部２２Ａと、蓋基部２１に繋がっており、第２分岐通路ｐｔ２ｂを隠す蓋腕状部２２Ｂとを有している。蓋部２０は、通路ｐｔを覆うようにハンガー本体３１０に取り付けられている。蓋部２０がハンガー本体３１０に取り付けられていない状態において通路ｐｔは開放されている。ハンガー本体３１０には、蓋部２０の取付用の凹部４Ａ〜４Ｄが形成されている。蓋部２０の背面には、ハンガー本体３１０の凹部４Ａ〜４Ｄに嵌め込まれる凸部２３Ａ〜２３Ｄが形成されている。凸部２３Ａ〜２３Ｄが凹部４Ａ〜４Ｄに嵌め込まれることで、蓋部２０はハンガー本体３１０に取り付けられる。なお、ハンガー３００は、紙製でもよい。この場合、ハンガー３００は、例えば、蓋部２０がハンガー本体３１０に接着剤等で貼り合わされる。そのため、ハンガー３００が紙製の場合には、ハンガー３００には、凹部４Ａ〜４Ｄ及び凸部２３Ａ〜２３Ｄが形成されていなくてもよい。
【００５１】
本考案の実施の形態３に係るハンガー３００は本考案の実施の形態２に係るハンガー２００と同様の効果を有することに加え次の効果を有する。本考案の実施の形態３に係るハンガー３００の構成は、蓋部２０をハンガー本体３１０から取り外すことで通路ｐｔを露出せることができる構成となっている。このため、ユーザーは、ハンガー３００に貯金した硬貨５０を容易に取り出すことができる。また、ハンガー３００が紙製である場合には、紙であるため、安価な接着剤を用いても、蓋部２０をハンガー本体３１０に容易に貼り付けることができる。また、ハンガー３００を構成する蓋部２０及びハンガー本体３１０は紙であるため、広告等の印刷が容易である。
【符号の説明】
【００５２】
１  フック、２  基部、２Ａ  第１腕状部、２Ａ１  端部、２Ｂ  第２腕状部、２Ｂ１  端部、３  支持部、４Ａ  凹部、４Ｂ  凹部、４Ｃ  凹部、４Ｄ  凹部、１０  ハンガー本体、１１  ハンガー本体、１１Ａ１  第１厚紙、１１Ａ２  第２厚紙、１１Ａ３  第３厚紙、１１Ｂ  第１厚紙、２０  蓋部、２１  蓋基部、２２Ａ  蓋腕状部、２２Ｂ  蓋腕状部、２３Ａ  凸部、２３Ｂ  凸部、２３Ｃ  凸部、２３Ｄ  凸部、５０  硬貨、１００  ハンガー、２００  ハンガー、３００  ハンガー、３１０  ハンガー本体、Ｈｋ  フック挿入孔、Ｏｐ  硬貨投入口、Ｔ  切抜部、Ｗａ  スリット部、Ｗｂ  スリット部、ｅａ  第１終端、ｅｂ  第２終端、ｐｔ  通路、ｐｔ１  第１通路、ｐｔ２  第２通路、ｐｔ２ａ  第１分岐通路、ｐｔ２ｂ  第２分岐通路、ｐｔａ  第１分岐通路、ｐｔｂ  第２分岐通路、ｐｔｓ  投入部、ｓｍ  頂部、ｔａ  第１傾斜部、ｔｂ  第２傾斜部。
【図１】
0003220813.tif 000003
【図２】
0003220813.tif 000004
【図３】
0003220813.tif 000005
【図４】
0003220813.tif 000006
【図５】
0003220813.tif 000007
【図６】
0003220813.tif 000008
【図７】
0003220813.tif 000009
【図８】
0003220813.tif 000010
【図９】
0003220813.tif 000011
【図１０】
0003220813.tif 000012
【図１１】
0003220813.tif 000013
【図１２】
0003220813.tif 000014
【図１３】
0003220813.tif 000015
【図１４】
0003220813.tif 000016
【図１５】
0003220813.tif 000017
【図１６】
0003220813.tif 000018
【図１７】
0003220813.tif 000019
【図１８】
0003220813.tif 000020
【図１９】
0003220813.tif 000021
【図２０】
0003220813.tif 000022
【図２１】
0003220813.tif 000023
【図２２】
0003220813.tif 000024